(57)【要約】  【課題】  調光操作卓に着脱自在で、照明装置の点灯調光動作状態の表示と、調光器近傍で保守点検が可能な調光表示制御装置を有する照明制御システムを提供する。  【解決手段】  照明装置３１の点灯調光動作を制御する調光器２２と、点灯調光の操作入力により調光器２２の動作を制御する調光操作卓１１とからなり、調光操作卓１１に着脱自在に装着されてパネル操作部１３から入力された点灯光動作の操作入力情報と、調光器２２による照明装置３１の点灯調光動作状態情報とからなる調光操作用情報表示させ、調光操作卓１１から取り外して調光器２２の近傍で調光操作卓１１からの情報伝送回線と接続して点検補修用情報を表示させる操作表示用のノートＰＣ１２を備えた照明制御システム。  【選択図】  図１
2005353473.tif 000002
【特許請求の範囲】
【請求項１】
複数の照明装置と；
この複数の照明装置それぞれの点灯と調光制御を行う複数の調光器を有する調光盤と；
前記複数の照明装置それぞれに対する点灯及び調光の操作入力を行うパネル操作手段と、
このパネル操作手段からの点灯及び調光の操作入力により前記調光盤の調光器の動作を制御して、前記複数の照明装置それぞれの点灯及び調光動作を制御する調光制御手段とを有する調光操作卓と；
前記調光操作卓に着脱自在に装着され、前記調光操作卓に装着された際に、前記パネル操作手段から入力された前記照明装置の点灯及び調光の操作入力情報と、前記調光制御手段による前記調光器の点灯及び調光動作状態情報からなる点灯調光動作状態を表示させ、前記調光操作卓から取り外して前記調光器盤の近傍において、前記調光器及び前記照明装置の保守点検及び補修用の処理情報を表示させる調光操作表示装置と；
を具備したことを特徴とする照明制御システム。
【請求項２】
前記調光操作表示装置は、パーソナルコンピュータからなり、前記調光操作卓に装着した際に、前記パネル操作手段から入力された前記複数の照明装置の点灯及び調光動作の操作入力情報と、前記調光制御手段により調光器を介して前記複数の照明装置の点灯及び調光の動作状態情報を基に、前記パネル操作手段からの点灯及び調光の操作入力に必要な操作入力情報と、前記調光制御手段により調光器を介して前記複数の照明装置の点灯及び調光動作状態情報とからなる調光操作情報を表示させる調光操作用処理手段と、前記調光盤近傍において、前記調光器と前記照明装置の保守点検及び補修内容に応じた保守点検及び補修用手順情報を表示させる点検補修用処理手段を有したことを特徴とする請求項１記載の照明制御システム。
【請求項３】
前記調光操作卓には、前記操作パネル手段及び調光制御手段と装着された前記調光操作表示装置との間で、情報伝送を行うための情報伝送回線が設けられ、この情報伝送回線は、調光盤近傍まで延設されており、前記調光操作卓から取り外された前記調光操作表示装置が前記調光盤の近傍において前記情報伝送回線に接続可能としたことを特徴とする請求項２または２のいずれかに記載の照明制御システム。
【発明の詳細な説明】
【技術分野】
【０００１】
本発明は、舞台やスタジオフロアにおける照明装置の点灯及び調光動作の制御を行う照明制御システムに関し、特に、調光操作卓に装着させると調光操作卓の一部として機能し、調光操作卓から取り外して調光器近傍に設置すると調光器と照明装置の点検保守及び補修に用いる機能を有する調光操作表示装置を有する照明制御システムに関する。
【背景技術】
【０００２】
従来から、舞台やスタジオフロアの演出のために使用される複数の照明装置の点灯及び調光動作を遠隔的に操作する照明制御システムが用いられている。この照明制御システムは、図４に示すように、舞台やスタジオフロア３に設けられた複数の照明装置３１ａ，３１ｂ，３１ｃ，…と、舞台やスタジオフロア３とは別室の調光室１に設けられ、照明装置３１ａ，３１ｂ，３１ｃ，…の点灯や調光の操作入力を行う調光操作卓１１と、及び舞台やスタジオフロア３から離れた位置の照明ラック室２に設けられ、調光操作卓１１からの操作入力に応じて、照明装置３１ａ，３１ｂ，３１ｃ，…に対して調光電源２３の供給と調光レベル制御する調光盤２１からなっている。
【０００３】
調光室１に設けられている調光操作卓１１は、照明装置３１ａ，３１ｂ，３１ｃ，…の点灯／消灯、及び調光のためにオペレータが操作入力を行う複数のスイッチとフェーダ等を有するパネル操作部１３と、このパネル操作部１３の駆動を制御すると共に、複数のスイッチやフェーダ等による操作入力を検出し、その操作入力されたスイッチやフェーダの操作入力情報を生成するパネル操作制御装置１４と、このパネル操作制御装置１４において生成されたスイッチやフェーダの操作入力情報により、調光盤２１の調光動作を制御する調光制御信号２４を生成する調光制御装置１５と、パネル操作制御装置１４により生成されたスイッチやフェーダの操作入力情報と調光制御装置１５により生成された調光盤２１の調光動作を制御する調光制御信号２４からパネル操作部１３のスイッチやフェーダの操作入力状態と照明装置３１ａ，３１ｂ，３１ｃ，…の点灯及び調光動作状態を文字図形により表示するための調光操作表示信号を生成する表示制御装置４１と、及び、この表示制御装置４１により生成された調光操作表示信号の基で調光動作状態を文字図形により表示するモニタ４２から構成されている。
【０００４】
照明ラック室２に設けられた調光盤２１は、複数の照明装置３１ａ，３１ｂ，３１ｃ，…の点灯・消灯及び調光を行う複数の調光器２２（図中には、１つの調光器２２のみ表示している）が設けられている。この調光器２２は、調光電源２３と調光操作卓１１の調光制御装置１５からの調光制御信号２４が供給入力され、この調光制御信号２４により調光電源２３の照明装置３１ａ，３１ｂ，３１ｃ，…への供給オン／オフと供給量を制御する。
【０００５】
このような照明制御システムにおいて、調光操作卓１１と調光器２２との間で伝送される照明装置３１ａ，３１ｂ，３１ｃ，…の点灯・消灯及び調光制御用の調光制御信号２４や調光器２２の動作状態を示す図示していない調光動作状態信号の伝送には、汎用の通信プロトコルを用いた情報データ伝送用のＬＡＮ回線が用いられる（例えば、特許文献１参照）。
【特許文献１】特開２００２−２８９３６５号公報
【発明の開示】
【発明が解決しようとする課題】
【０００６】
従来の照明制御システムにおいて、調光盤２１に設けられている調光器２２の保守点検を行う際には、調光器２２の動作確認のために、調光器２２の動作状態を表示している調光操作卓１１のモニタ４２に表示される内容から判定している。しかし、調光操作卓１１が設けられている調光室１と、調光器２２を有する調光盤２１が設けられている照明ラック室２は、建物内の離れた場所に設けられている。このために、照明ラック室２において調光器２２の保守点検動作を行う作業員と、調光室１において調光操作卓１１のモニタ４２に表示される調光器２２の動作状態表示を確認する作業員との間で連絡を取り合いながら保守点検を行う必要があり、保守点検作業の効率が悪く、かつ多数の作業員による煩雑な作業が強いられている。
【０００７】
また、調光操作卓１１には、調光器２２を介して照明装置３１ａ，３１ｂ，３１ｃ，…の点灯及び調光の動作制御の運用時の誤動作を防ぐために、点灯及び調光操作に特化した制御と、その点灯及び調光の動作内容を示す表示がモニタ４２に表示されるようになっている。このため、モニタ４２に表示される保守点検に関する動作状態表示内容に限界が生じている。
【０００８】
本発明は、このような事情に鑑みてなされたもので、調光操作卓に着脱自在に装着され、調光操作卓に装着されている際には、照明装置の点灯及び調光操作の動作状態が表示され、調光操作卓から取り外して調光盤の近傍において、調光器と照明装置の保守点検が可能な調光表示制御装置を有する照明制御システムを提供することを目的としている。
【課題を解決するための手段】
【０００９】
請求項１の発明の照明制御システムは、複数の照明装置と；この複数の照明装置それぞれの点灯と調光制御を行う複数の調光器を有する調光盤と；前記複数の照明装置それぞれに対する点灯及び調光の操作入力を行うパネル操作手段と、このパネル操作手段からの点灯及び調光の操作入力により前記調光盤の調光器の動作を制御して、前記複数の照明装置それぞれの点灯及び調光動作を制御する調光制御手段とを有する調光操作卓と；前記調光操作卓に着脱自在に装着され、前記調光操作卓に装着された際に、前記パネル操作手段から入力された前記照明装置の点灯及び調光の操作入力情報と、前記調光制御手段による前記調光器の点灯及び調光動作状態情報からなる点灯調光動作状態を表示させ、前記調光操作卓から取り外して前記調光器盤の近傍において、前記調光器及び前記照明装置の保守点検及び補修用の処理情報を表示させる調光操作表示装置と；を具備したことを特徴とする。
【００１０】
請求項２の発明の照明制御システムは、請求項１の照明制御システムにおいて、前記調光操作表示装置は、パーソナルコンピュータからなり、前記調光操作卓に装着した際に、前記パネル操作手段から入力された前記複数の照明装置の点灯及び調光動作の操作入力情報と、前記調光制御手段により調光器を介して前記複数の照明装置の点灯及び調光の動作状態情報を基に、前記パネル操作手段からの点灯及び調光の操作入力に必要な操作入力情報と、前記調光制御手段により調光器を介して前記複数の照明装置の点灯及び調光動作状態情報とからなる調光操作情報を表示させる調光操作用処理手段と、前記調光盤近傍において、前記調光器と前記照明装置の保守点検及び補修内容に応じた保守点検及び補修用手順情報を表示させる点検補修用処理手段を有したことを特徴とする。
【００１１】
請求項３の発明の照明制御システムは、請求項１または２の照明制御システムにおいて、前記調光操作卓には、前記操作パネル手段及び調光制御手段と装着された前記調光操作表示装置との間で、情報伝送を行うための情報伝送回線が設けられ、この情報伝送回線は、調光盤近傍まで延設されており、前記調光操作卓から取り外された前記調光操作表示装置が前記調光盤の近傍において前記情報伝送回線に接続可能としたことを特徴とする。
【００１２】
本発明において用語の定義及び技術的意味は次による。
【００１３】
照明装置は、電源の供給オン／オフにより点灯／消灯と、電源の供給量に応じて明暗が制御される各種光源ランプ、及び光源ランプを内蔵した器具からなり、光源ランプからの光を反射させて照射方向を制御したり、あるいは器具の前面に色付きフィルタを設けて、この色付きフィルタにより照明光の色を制御するカラーチェンジャーを有したものなどである。
【００１４】
調光器は、接続されている照明装置に対して、調光電源供給のオン／オフ機能と、調光電源の供給量を制御して光源ランプの明暗調整を行う調光機能とを有している。
【００１５】
調光操作卓は、調光器に対して、接続されている照明装置への調光電源供給のオン／オフと、照明装置の明暗調整のための調光レベルの制御を行うものであり、利用者が調光器毎に接続されている照明装置の点灯／消灯と調光レベルの操作入力を行うための複数のスイッチとフェーダ等が配置されたパネル操作手段であるパネル操作部と、このパネル操作部のスイッチやフェーダにより操作入力された点灯／消灯と調光レベルに応じて、調光器の動作を制御して照明装置への調光電源供給のオン／オフと、調光レベルの調整を行う調光制御手段である調光制御装置と、及びパネル操作部から操作入力された内容と調光制御装置による調光器の調光動作状態をモニタに表示させる調光操作表示装置を有している。
【００１６】
この調光操作表示装置には、携帯可能なパーソナルコンピュータである所謂ノート型パーソナルコンピュータを用いており、このパーソナルコンピュータは、調光操作卓に着脱自在に装着可能であり、調光操作卓から調光盤近傍まで延設されている情報伝送回線に接続可能となっている。
【００１７】
また、この調光操作表示装置は、調光操作卓に装着されるとパネル操作部からの操作入力情報と調光制御装置により調光器の調光動作状態情報を基に、操作入力内容と調光器の調光動作状態をモニタに文字図形等で表示させるための調光操作用のアプリケーションプログラムである調光操作用処理手段と、調光操作卓から取り外して調光盤の近傍の情報伝送回線に接続されると調光器の保守点検及び補修の点検補修内容に応じた処理手順情報をモニタに文字図形等で表示させる点検補修アプリケーションプログラムである点検補修操作用処理手段を有している。
【００１８】
情報伝送回線は、各種情報データを汎用の通信プロトコルを用いて伝送を行うＬＡＮ回線である。このＬＡＮ回線により調光操作卓のパネル操作部と調光制御部、並びに操作表示装置が接続されおり、かつ、調光操作卓には、操作表示装置が装着された時に、ＬＡＮ回線と接続されるための回線接続端子である回線接続手段が設けられている。
【発明の効果】
【００１９】
本発明の照明制御システムは、調光操作用処理手段と点検補修用処理手段を内蔵させた調光表示装置を設け、この調光表示装置を調光操作卓に着脱自在に装着可能とし、かつ、調光操作卓から取り外して調光器の近傍で情報伝送回線に接続可能としたことにより、調光操作卓に装着時には、調光操作用処理手段により調光操作状態の表示が確実に実行でき、調光器の近傍において、点検補修用処理手段により調光器の近傍で点検補修が実行でき、少人数の作業員による点検補修が可能となり、点検保守の確実性と効率が向上する効果を有している。
【発明を実施するための最良の形態】
【００２０】
以下、図面を参照して本発明の実施の形態について詳細に説明する。
【実施例１】
【００２１】
本発明の照明制御システムの第１の実施形態について図１と図２を用いて説明する。図１は本発明の第１の実施形態の照明制御システムを用いた調光操作時の構成を示すブロック図であり、図２は本発明の第１の実施形態の照明制御システムを用いた点検補修時の構成を示すブロック図である。
【００２２】
図１に示すように、本発明の照明制御システムは、舞台やスタジオフロア３に設けられた複数の照明装置３１ａ，３１ｂ，３１ｂ，…、この舞台やスタジオフロア３から離れた場所に設けられた照明ラック室２に配置され、照明装置３１ａ，３１ｂ，３１ｃ，…を点灯／消灯、及び調光制御する調光盤２１、及び舞台やスタジオフロア３が見通せる場所に設けられた調光室１に配置されている調光操作卓１１から構成されている。
【００２３】
調光室１の調光操作卓１１は、舞台やスタジオフロア３に設けられている複数の照明装置３１ａ，３１ｂ，３１ｃ，…の点灯／消灯、及び調光の操作入力を行う複数のスイッチやフェーダ等が配置されているパネル操作部１３と、このパネル操作部１３の動作を制御すると共に、操作入力されたスイッチやフェーダ等を検出してスイッチやフェーダによる操作入力情報を生成するパネル操作制御装置１４と、このパネル操作制御装置１４において生成された操作入力情報により照明ラック室２の調光盤２１の動作を制御する調光制御信号２４を生成する調光制御装置１５からなっている。
【００２４】
この調光操作卓１１には、調光操作表示装置である携帯可能なパーソナルコンピュータ（以下、単にノートＰＣと称する）１２が直脱自在に装着され、このノートＰＣ１２が調光操作卓１１に装着されると、回線接続端子１６が設けられた情報伝送回線１７を介して、パネル操作制御装置１４と調光制御装置１５と情報の伝送が可能となるように接続される。
【００２５】
このノートＰＣ１２には、パネル操作制御装置１４により検出されたパネル操作部１３による操作入力された操作入力情報と、調光制御装置１５により動作が制御されている照明ラック室２の調光盤２１の動作状態情報が供給され、それら情報を基に後述する調光操作表示を行う。
【００２６】
照明ラック室２の調光盤２１は、複数の調光器２２（図中は、１つの調光器２２のみ表記している）が設けられている。この調光器２２には、調光電源２３と調光操作卓１１の調光制御装置１５からの調光制御信号２４が供給されると共に、舞台やスタジオフロア３の複数の照明装置３１ａ，３１ｂ，３１ｃ，…が接続されている。この調光器２２は、調光制御信号２４により調光電源２３を照明装置３１ａ，３１ｂ，３１ｃ，…に供給して点灯／消灯と点灯時の明暗調整である調光レベルの制御設定を行う。
【００２７】
この照明ラック室２の調光盤２１には、調光操作卓１１の情報伝送回線１７が延在されて、その情報伝送回線１７に接続するための回線接続端子２５が設けられている。この調光盤２１に設けられる回線接続端子２５には、調光操作卓１１から取り外されたノートＰＣ１２が接続される。
【００２８】
舞台やスタジオフロア３の照明装置３１ａ，３１ｂ，３１ｃ，…は、調光器２２により点灯／消灯及び調光制御される光源ランプと、その光源ランプを保持すると共に、照明光を所定方向へ照射される器具からなり、照明光に色を付けるカラーチェンジャーを有するものもある。
【００２９】
この照明制御システムは、調光室１のパネル操作部１３のスイッチやフェーダを用いて入力された照明装置３１ａ，３１ｂ，３１ｃ，…それぞれの点灯及び調光レベル等は、パネル操作制御装置１４により検出され、その操作入力情報が情報伝送回線１７を介して調光制御装置１５に伝送される。調光制御装置１５は、パネル操作制御装置１４からの操作入力情報の基で、操作入力された照明装置３１ａ，３１ｂ，３１ｃ，…それぞれの調光制御するため調光制御信号２４を生成して、調光盤２１の調光器２２へ供給する。
【００３０】
調光器２２は、調光制御信号２４により調光電源２３を照明装置３１ａ，３１ｂ，３１ｃ，…それぞれに調光レベルに応じて供給する。
【００３１】
このように、調光操作卓１１のパネル操作部１３からの操作入力により照明装置３１ａ，３１ｂ，３１ｃ，…が調光器２２により点灯及び調光制御が行われている際に、調光操作卓１１により操作入力された情報や、調光制御信号２４により調光器２２によって動作制御されている照明装置３１ａ，３１ｂ，３１ｃ，…の点灯及び調光動作情報は、情報伝送回線１７から回線接続端子１６を介して、ノートＰＣ１２に供給される。
【００３２】
このノートＰＣ１２は、供給されたパネル操作部１３から入力された操作入力情報と、調光器２２による照明装置３１ａ，３１ｂ，３１ｃ，…の点灯及び調光動作情報を基に、パネル操作部１３からの操作入力内容と、調光器２２による照明装置３１ａ，３１ｂ，３１ｃ，…の点灯及び調光レベルをノートＰＣ１２のディスプレイに文字図形として表示させるための情報データ処理を行う。つまり、ノートＰＣ１２には、パネル操作部１３から操作入力された操作入力情報と調光器２２により照明装置３１ａ，３１ｂ，３１ｃ，…の動作状態情報を基に、調光操作卓１１により照明の点灯及び調整操作するオペレータが点灯及び調光の操作入力に必要な情報と、調光器の動作状態情報をノートＰＣ１２のディスプレイに文字図形表示させるための調光操作用処理手段である調光操作用アプリケーションプログラムを有している。
【００３３】
すなわち、ノートＰＣ１２に調光操作用アプリケーションプログラムである調光操作用処理手段を内蔵させ、このノートＰＣ１２を調光操作卓１１に装着して回線接続端子１６に接続すると、パネル操作制御装置１４と調光制御装置１５に情報伝送回線１７を介して接続され、従来の表示制御装置４１とモニタ４２と同様な機能が得られる。つまり、このノートＰＣ１２は、調光操作表示装置を形成することになる。
【００３４】
なお、情報伝送回線１７は、ノートＰＣ１２と、調光操作卓１１のパネル操作制御装置１４及び調光制御装置１５の間で各種情報データを電送させるためのＬＡＮ回線であり、図示していないが、パネル操作制御装置１４と調光制御装置１５において生成される各種情報を汎用の通信プロトコルに変換させる機能を有している。
【００３５】
更に、このノートＰＣ１２には、前述した調光操作用アプリケーションプログラムである調光操作用処理手段に加えて、点検補修用アプリケーションプログラムである点検補修用処理手段も内蔵している。この点検補修用アプリケーションプログラムである点検補修用処理手段は、調光器２２の動作性能を定期的に点検したり、また、照明装置３１ａ，３１ｂ，３１ｃ，…の光源ランプの断線、あるいは漏電が生じた場合に用いるものである。
【００３６】
例えば、調光器２２の動作点検確認時には、予め設定された調光器２２の調光動作や調光レベルの条件に従い動作させて、その条件の基での調光器２２の動作状態を検出判定している。
【００３７】
また、照明装置３１ａ，３１ｂ，３１ｃ，…の光源ランプの断線や漏電が生じると、調光器２２や調光電源２３の供給線路などの保護のために、図示していない保護機能が作動する。このために、光源ランプの交換や漏電箇所の補修時には、調光電源２３の遮断や、補修後の保護機能の復帰処理などの予め定められた補修手順に従う必要がある。
【００３８】
このように予め定められた手順に従い調光器２２や照明装置３１ａ，３１ｂ，３１ｃ，…の点検及び補修を行う点検補修用アプリケーションプログラムである点検補修用処理手段が設けられている。
【００３９】
この点検補修用処理手段が内蔵されたノートＰＣ１２を用いた点検補修について図２を用いて説明する。なお、図１と同一部分は、同一符号を付して詳細説明は省略する。
【００４０】
点検補修用処理手段を内蔵したノートＰＣ１２は、調光操作卓１１から取り外して、照明ラック室２の調光盤２１に設けられている回線接続端子２５に接続する。このノートＰＣ１２を調光盤２１の回線接続端子２５に接続して、この回線接続端子２５から情報伝送回線１７を介して、パネル操作制御装置１４と調光制御装置１５に接続される。
【００４１】
このノートＰＣ１２を調光盤２１の回線接続端子２５に接続し、前述した点検補修用処理手段を起動させて、ノートＰＣ１２のディスプレイに表示される点検補修手順に従い、パネル操作部１３に代わり、ノートＰＣ１２のキーボード、及びマウスを用いて点検用の条件設定を行ったり、あるいは調光器２２と照明装置３１ａ，３１ｂ，３１ｃ，…の補修を行う。
【００４２】
つまり、調光盤２１の近くにおいて、ノートＰＣ１２を用いて調光操作卓１１と調光器２２、及び照明装置３１ａ，３１ｂ，３１ｃ，…の動作状態監視ができるために点検補修の作業員の削減と作業効率が向上可能となる。
【実施例２】
【００４３】
次に、本発明の第２の実施形態の照明制御システムについて図３を用いて説明する。なお、図３は、図１と図２と同一部分は、同一符号を付して詳細説明は省略する。
【００４４】
この第２の実施形態と前述した第１の実施形態との相違は、ノートＰＣ１２に代えて、無線ＬＡＮ機能を内蔵させたノートＰＣ（以下、無線ＬＡＮノートＰＣと称する）１２ａが用いられ、調光盤２１には、調光操作卓１１の情報伝送回線１７に接続された無線ＬＡＮアクセスポイント２６が設けられている。
【００４５】
つまり、無線ＬＡＮノートＰＣ１２ａは、調光操作卓１１に装着された場合には、回線接続端子１６から情報伝送回線１７を介してパネル操作制御装置１４と調光制御装置１５との間で情報データの伝送が行われて、調光操作用処理手段の基で調光操作の表示処理が実行される。また、この無線ＬＡＮノートＰＣ１２ａを調光操作卓１１から取り外して、照明ラック室２に搬入すると、無線ＬＡＮノートＰＣ１２ａの無線ＬＡＮ機能を用いて、調光盤２１に設けられた無線ＬＡＮアクセスポイント２６を介して情報伝送回線１７と接続されて点検補修用処理手段により調光器２２と照明装置３１ａ，３１ｂ，３１ｃ，…の点検補修が実行可能となる。これにより、前述した第１の実施形態と同様な効果が得られる。
【図面の簡単な説明】
【００４６】
【図１】本発明の第１の実施形態の照明制御システムの調光操作時の構成を示すブロック図。
【図２】本発明の第１の実施形態の照明制御システムの点検補修時の構成を示すブロック図。
【図３】本発明の第２の実施形態の照明制御システムの点検補修時の構成を示すブロック図。
【図４】従来の照明制御システムの構成を示すブロック図。
【符号の説明】
【００４７】
１  調光室、２  照明ラック室、３  舞台やスタジオフロア、１１  調光操作卓、１２  携帯型パーソナルコンピュータ（ノートＰＣ）、１３  パネル操作部、１４  パネル操作制御装置、１５  調光制御装置、１６  回線接続端子、１７  情報伝送回線、２１  調光盤、２２  調光器、２３  調光電源、２４  調光制御信号、２５回線接続端子、３１  照明装置。  
代理人  弁理士  伊藤  進
【図１】
2005353473.tif 000003
【図２】
2005353473.tif 000004
【図３】
2005353473.tif 000005
【図４】
2005353473.tif 000006